(57)【要約】【課題】  発生した警告音を自動的に停止し、警告音を調節することができ、携帯端末装置の位置を把握することができる携帯端末管理装置を提供する。【解決手段】  モデルハウスの出入口近傍領域に位置した携帯端末装置５からの位置確認応答信号を出入口位置検知装置３が受信し、統括管理装置２が、出入口位置検知装置３からの位置登録応答信号を受信して出入口位置検知装置３へ警告要求信号を送信し、出入口位置検知装置３が警告要求信号を受信すると携帯端末装置５に警告音発生信号を送信して携帯端末装置から警告音を発生させる。また、位置検知装置４が、警告音を発生している携帯端末装置５からの位置確認応答信号を受信すると、統括管理装置２へ位置登録応答信号を送信し、統括管理装置２が位置検知装置４へ警告解除信号を送信し、位置検知装置４が警告解除信号を受信すると携帯端末装置５へ警告音解除信号を送信して発生している警告音を解除する。【選択図】      図１
2005150826.tif 000002
【特許請求の範囲】
【請求項１】
施設の情報に関する案内手段と、警告音発生信号を受信することにより警告音を発生する警告手段と、位置検知装置又は出入口位置検知装置と無線通信を行い端末識別番号データの送受信をする送受信手段と、を備える携帯端末装置を、
統括管理装置により管理することにより盗難防止を図るための携帯端末管理装置において、
前記出入口位置検知装置に備えられ、前記携帯端末装置が前記施設の出入口近傍領域に位置した場合に、前記統括管理装置からの前記端末識別番号データを含む警告要求信号を受信する警告要求信号受信手段と、
前記警告要求信号を受信した場合に、前記携帯端末装置に前記警告音発生信号を送信する警告音発生信号送信手段と、
前記位置検知装置に備えられ、前記携帯端末装置が前記施設の出入口近傍領域から離れた場合に、前記統括管理装置からの前記端末識別番号データを含む警告解除信号を受信する警告解除信号受信手段と、
前記警告解除信号を受信した場合に、前記携帯端末装置に前記警告音解除信号を送信する警告音解除信号送信手段と、を有し、
前記携帯端末装置は、前記警告音解除信号を受信した場合に、前記警告音の発生を解除するように構成されていること、を特徴とする携帯端末管理装置。
【請求項２】
前記携帯端末装置が、前記警告音解除信号を受信するまでの間において、警告音を発生している時間に応じて警告音の音量を調節する警告音制御手段を備えることを特徴とする請求項１に記載の携帯端末管理装置。
【請求項３】
前記施設に備えられ、検知領域に位置する携帯端末装置からの端末識別番号データと装置識別番号データとを有する位置登録応答信号を前記統括管理装置に送信する２基以上の位置検知装置と、
出入口近傍領域に位置する携帯端末装置からの端末識別番号データと装置識別番号データとを有する位置登録応答信号を前記統括管理装置に送信する少なくとも１基以上の出入口位置検知装置と、
前記統括管理装置に備えられ、前記位置検知装置及び前記出入口位置検知装置からの位置登録応答信号が有する端末識別番号データと装置識別番号データとを記憶する位置登録記憶部と、
前記位置検知装置及び前記出入口位置検知装置の設置位置データを記憶している装置設置場所データベースと、
前記位置登録記憶部に記憶されている端末識別番号データと装置識別番号データ、及び装置設置場所データベースに記憶された前記位置検知装置及び前記出入口位置検知装置の設置位置データから位置データを作成する位置データ作成手段と、を有し、
位置表示の対象となる携帯端末装置の位置データを、前記位置登録記憶部から抽出し、当該位置データを位置データ表示実行手段により表示することを特徴とする請求項１又は請求項２に記載の携帯端末管理装置。
【発明の詳細な説明】
【技術分野】
【０００１】
本発明は、施設内で貸し出される携帯端末装置を管理する携帯端末管理装置に関する。
【背景技術】
【０００２】
近年、例えば、美術館等の施設において、各フロアーの展示物の説明を携帯端末装置により行う案内システムが提案されている。この案内システムは、入館した来客者が入口でこの携帯端末装置の貸し出しを受けて、各フロアーを鑑賞しつつ、来客者の所在位置に対応して携帯する携帯端末装置によって各フロアーの展示物の説明を受けることができるようになっている。この携帯端末装置は、来客者に携帯されるものであるために、鑑賞後に、うっかりと又は故意に美術館から持ち出される場合が想定されるため、この携帯端末装置に警告装置を設けて、美術館から持ち出される前に携帯端末装置から警告音を出すことができる携帯端末返却忘れ防止装置が取り付けられている（例えば、特許文献１参照）。
【０００３】
この携帯端末返却忘れ防止装置では、出入口付近に無線基地局を設け、この無線基地局より特定の無線信号を送出する。携帯端末装置は、この特定の無線信号を受信するか否かに基づいて無線基地局の無線ゾーン（無線信号到達範囲）に進入したか否かについて認識する。
ここで、携帯端末装置が無線ゾーン内に進入すると、その携帯端末装置は、無線基地局を介して基地局制御装置に無線ゾーンに侵入したことを通知する。その通知を受けて基地局制御装置は、携帯端末装置により警告音を発生するようになっている。
【特許文献１】特開平９−１８９５７号公報（段落００１０〜００４８、第１図）
【発明の開示】
【発明が解決しようとする課題】
【０００４】
しかし、従来の携帯端末返却忘れ防止装置では、来客者がうっかり無線ゾーンに入った場合に、一度、携帯端末装置から警告音が発生されると、来客者が自ら警告音を止めることができず、係員や警備員のみでしか警告音が止めることができないため、来客者に不快感を与えるという問題があった。
【０００５】
また、警告音の音量は、無線ゾーン内に進入した携帯端末装置を携帯する来客者に聞こえるように大きな音量でその携帯端末装置から発生されるため、うっかりと無線ゾーン内に進入した来客者に不快感を与えるという問題もあった。
【０００６】
さらに、貸し出された携帯端末装置の位置を検知していなかったために、各携帯端末装置が施設内のどの位置に存在するかを把握することができなかった。
【０００７】
そこで本発明は、発生した警告音を自動的に解除することができ、かつ、発生した警告音を調節することができ、また、携帯端末装置の位置を把握することができる携帯端末管理装置を提供することを目的とする。
【課題を解決するための手段】
【０００８】
前記問題を解決するために、本発明は、施設の情報に関する案内手段と、警告音発生信号を受信することにより警告音を発生する警告手段と、位置検知装置又は出入口位置検知装置と無線通信を行い端末識別番号データの送受信をする送受信手段と、を備える携帯端末装置を、統括管理装置により管理することにより盗難防止を図るための携帯端末管理装置において、前記出入口位置検知装置に備えられ、前記携帯端末装置が前記施設の出入口近傍領域に位置した場合に、前記統括管理装置からの前記端末識別番号データを含む警告要求信号を受信する警告要求信号受信手段と、前記警告要求信号を受信した場合に、前記携帯端末装置に前記警告音発生信号を送信する警告音発生信号送信手段と、前記位置検知装置に備えられ、前記携帯端末装置が前記施設の出入口近傍領域から離れた場合に、前記統括管理装置からの前記端末識別番号データを含む警告解除信号を受信する警告解除信号受信手段と、前記警告解除信号を受信した場合に、前記携帯端末装置に前記警告音解除信号を送信する警告音解除信号送信手段と、を有し、前記携帯端末装置は、前記警告音解除信号を受信した場合に、前記警告音の発生を解除するように構成されていること、を特徴とする。
【０００９】
ここで、警告音発生信号とは、出入口位置検知装置から携帯端末装置へ送信される信号であって、携帯端末装置に警告音を発生させるための信号である。
また、端末識別番号データとは、２機以上ある携帯端末装置の個々を識別するために各々異なった番号等が各携帯端末装置に記憶されているデータである。
さらに、出入口近傍領域とは、施設の出入口の近傍において、携帯端末装置と出入口位置検知装置と無線通信可能となる領域をいう。
警告要求信号とは、統括管理装置から出入口位置検知装置に送信される信号であって、出入口近傍領域に位置した携帯端末装置の端末識別番号データを含み、当該携帯端末装置に対して警告音発生信号を送信することを要求する信号である。
警告解除信号とは、統括管理装置から位置検知装置に送信される信号であって、出入口近傍領域に位置した携帯端末装置の端末識別番号データを含み、当該携帯端末装置に対して警告音解除信号を送信することを要求する信号である。
警告音解除信号とは、出入口近傍領域に位置した携帯端末装置の端末識別番号データを含み、携帯端末装置に発生している警告音を解除させるための信号である。
【００１０】
本発明によれば、携帯端末装置は、施設の情報に関する案内手段と、警告音発生信号を受信することにより警告音を発生する警告手段と、無線通信による端末識別番号データの送受信手段と、位置検知装置又は出入口位置検知装置と無線通信を行い端末識別番号データの送受信をする送受信手段と、を備えており、携帯端末装置が前記施設の出入口近傍領域に位置すると、統括管理装置が出入口位置検知装置へ端末識別番号データを有する警告要求信号を送信し、出入口位置検知装置の警告要求信号受信手段が受信する。出入口位置検知装置は、警告要求信号を受信したことにより、警告音発生信号送信手段から携帯端末装置へ警告音発生信号を送信し、携帯端末装置が警告音発生信号を受信すると警告音を発生することができるようになっている。また、携帯端末装置が前記施設の出入口近傍領域から離れた場合に、統括管理装置が位置検知装置へ端末識別番号データを有する警告解除信号を送信し、位置検知装置の警告解除信号受信手段が受信する。位置検知装置は、警告解除信号を受信したことにより、警告音解除信号送信手段から携帯端末装置へ警告音解除信号を送信すし、携帯端末装置が警告音解除信号を受信すると発生している警告音を排除することができるようになっている。
【００１１】
これにより、携帯端末装置を携帯する来客者が、携帯端末装置を出入口近傍領域に位置させることで携帯端末装置から警告音を発生させることができる。また、出入口近傍領域から携帯端末装置が離れることで、携帯端末装置からの警告音を解除することができる。したがって、誤って出入口近傍領域に入っても、この領域からすぐに出るようにすれば、警告音をすぐに解除させることができる。
【００１２】
そして、本発明は、前記携帯端末装置が、前記警告音解除信号を受信するまでの間において、警告音を発生している時間に応じて警告音の音量を調節する警告音制御手段を備える構成としてもよい。
【００１３】
本発明によれば、警告音制御手段によって、出入口近傍領域に携帯端末装置を位置させると次第に警告音が大きくなるように警告音の音量を調節することができる。したがって、誤って出入口近傍領域に携帯端末装置を位置させた場合、警告音が小さく設定されているので、携帯端末装置を出入口近傍領域に位置させた携帯者に、警告音による不快感を与えることなく警告音を発生させることができる。
【００１４】
また、本発明は、前記施設に備えられ、検知領域に位置する携帯端末装置からの端末識別番号データと装置識別番号データとを有する位置登録応答信号を前記統括管理装置に送信する２基以上の位置検知装置と、出入口近傍領域に位置する携帯端末装置からの端末識別番号データと装置識別番号データとを有する位置登録応答信号を前記統括管理装置に送信する少なくとも１基以上の出入口位置検知装置と、前記統括管理装置に備えられ、前記位置検知装置及び前記出入口位置検知装置からの位置登録応答信号が有する端末識別番号データと装置識別番号データとを記憶する位置登録記憶部と、前記位置検知装置及び前記出入口位置検知装置の設置位置データを記憶している装置設置位置データベースと、前記位置登録記憶部に記憶されている端末識別番号データと装置識別番号データ、及び装置設置場所データベースに記憶された前記位置検知装置及び前記出入口位置検知装置の設置位置データから位置データを作成する位置データ作成手段と、を有し、位置表示の対象となる携帯端末装置の位置データを、前記位置登録記憶部から抽出し、当該位置データを位置データ表示実行手段により表示する構成としてもよい。
【００１５】
ここで、装置識別番号データとは、２基以上設けられた位置検知装置の個々を識別するために各々異なった番号等が各位置検知装置に記憶されているデータである。
検知領域とは、各位置検知装置が各携帯端末装置と無線通信が可能となる領域をいう。
位置登録応答信号とは、位置検知装置の検知領域又は出入口位置検知装置の出入口近傍領域に位置する携帯端末装置の端末識別番号データと、位置検知装置が記憶している装置識別番号データ又は出入口位置検知装置が記憶している装置識別番号データとを有し、これら端末識別番号データと装置識別番号データとを統括管理装置に記憶させるための信号である。
設置位置データとは、位置検知装置及び出入口位置検知装置が設置された施設内の所定の場所を示したデータである。
位置データとは、携帯端末装置５が位置している施設内の場所を示すデータである。
【００１６】
本発明によれば、施設に備えられる２基以上の位置検知装置が、各位置検知装置の検知領域に位置する各携帯端末装置の端末識別番号データと位置検知装置が記憶している装置識別番号データとを有する位置登録応答信号を前記統括管理装置に送信する。そして、少なくとも１基以上の出入口位置検知装置が、出入口近傍領域に位置する各携帯端末装置の端末識別番号データと出入口位置検知装置が記憶している装置識別番号データとを有する位置登録応答信号を前記統括管理装置に送信する。統括管理装置は、受信した位置登録応答信号に含まれている各端末識別番号データと装置識別番号データとを、位置データ作成手段により装置設置位置データベースに記憶している位置検知装置及び出入口位置検知装置の設置位置データとを関連させた位置データを作成し、位置登録記憶部に記憶する。位置表示の対象となる携帯端末装置の位置は、該携帯端末装置の端末識別番号データと位置登録記憶部に記憶されている各端末識別番号データとを比較して、一致した場合に、位置登録記憶部に記憶されている位置表示の対象となる携帯端末装置の端末識別番号データを有している位置データを抽出し、位置データ表示実行手段により表示させる。
これにより、携帯者に携帯されている携帯端末装置の位置を位置検知装置の位置により把握することができる。
【発明の効果】
【００１７】
したがって、本発明の携帯端末管理装置によれば、携帯端末装置を携帯する来客者が、携帯端末装置を出入口近傍領域に位置させることで携帯端末装置から警告音を発生させることができる。また、出入口近傍領域から携帯端末装置が離れることで、携帯端末装置からの警告音を解除することができる。したがって、誤って出入口近傍領域に入っても、この領域からすぐに出るようにすれば、警告音をすぐに解除させることができる。
【００１８】
また、本発明は、音量調節手段によって、出入口近傍領域に携帯端末装置を位置させると次第に警告音が大きくなるように警告音の音量を調節することができる。したがって、誤って出入口近傍領域に携帯端末装置を位置させた場合、警告音が小さく設定されているので、携帯端末装置を出入口近傍領域に位置させた携帯者に、警告音による不快感を与えることなく警告音を発生させることができる。
【００１９】
また、本発明は、携帯者に携帯されている携帯端末装置の位置を位置検知装置の位置により把握することができる。
【発明を実施するための最良の形態】
【００２０】
以下、添付図面に基づき、本発明の好適な実施形態について詳細に説明する。
なお、本発明の携帯端末管理装置は、住宅展示場、美術館、動物園、イベント会場等で用いることができるが、ここでは、住宅展示場で本発明の携帯端末管理装置を用いた場合について説明する。
【００２１】
本実施形態において、図１は、本発明の携帯端末管理装置の概略を示す概略図である。図２は、本発明の携帯端末管理装置の概略を示す概略図である。図３は、本発明の携帯端末管理装置を示すブロック図である。図４は、装置判別手段の構成を示すブロック図である。図５は、監視モード判別手段の構成を示すブロック図である。図６は、位置特定手段の構成を示すブロック図である。図７は、出入口近傍領域及び検知領域を示す模式図である。図８は、位置登録要求信号の一例を示す概念図である。図９は、位置確認要求信号の一例を示す概念図である。図１０は、位置確認応答信号の一例を示す概念図である。図１１（ａ）は、位置登録応答信号の一例を示す概念図である。図１１（ｂ）は、位置登録応答信号の他の例を示す概念図である。図１２は、警告要求信号の一例を示す概念図である。図１３は、警告音発生信号の一例を示す概念図である。図１４は、警告解除信号の一例を示す概念図である。図１５は、警告音解除信号の一例を示す概念図である。図１６は、警告レベルデータの一例を示す概念図である。図１７は、設置位置データの一例を示す概念図である。図１８は、位置登録記憶部の一例を示す概念図である。図１９は、位置データの一例を示す概念図である。図２０は、位置データをディスプレイに表示した状態の一例を示す模式図である。
【００２２】
（携帯端末管理装置）
本発明の携帯端末管理装置１は、図１に示すように、２機以上の携帯端末装置５，５・・・と、これら携帯端末装置５の管理を行い、住宅展示場の主催者が使用する主催者監視室に設置される統括管理装置２と、施設の出入口近傍領域に設置される出入口位置検知装置３と、住宅展示場の施設（以下、「モデルハウス」という。）内に設置される２基以上の位置検知装置４，４・・・と、から構成されている。
なお、本発明の実施の形態において、施設の入口と出口は、同一箇所を出入口として用いているが、入口と出口とを個別に設けても良い。
【００２３】
また、携帯端末管理装置１は、図示しないが、統括管理装置２に備えられた、住宅展示場に展示されている各モデルハウスにおける各部屋の案内・説明の内容を含む案内データが記憶されている案内データ記憶部から携帯端末装置の位置に対応して案内データ送信手段により携帯者（以下、「来客者」と表現することがある。）が携帯する携帯端末装置５に送信して、案内・説明を音声または文字（テキスト）または画像で行いつつ、携帯端末装置５の盗難を防止する役割を果たす。
【００２４】
また、携帯端末管理装置１は、図２に示すように、各モデルハウスＭＨ１，ＭＨ２・・・ＭＨｎに設置された出入口位置検知装置３と２基以上の位置検知装置４と２機以上の携帯端末装置５とにおいて無線通信が行えるようになっている。また、出入口位置検知装置３と２基以上の位置検知装置４とは、図１に示すような、例えばＬＡＮ（Ｌｏｃａｌ  Ａｒｅａ  Ｎｅｔｗｏｒｋ）のような通信網で接続されている。以下、各構成について説明する。
【００２５】
この携帯端末管理装置１は以下のような各種信号の送受信を行っている。
統括管理装置２から出入口位置検知装置３及び総ての位置検知装置４，４・・・へ位置登録要求信号を送信する。出入口位置検知装置３は、統括管理装置２からの位置登録要求信号を受信すると、位置確認要求信号を出入口近傍領域に送信する。ここで、出入口近傍領域に携帯端末装置５が存在する場合は、その携帯端末装置５が位置確認要求信号を受信することとなり、出入口近傍領域に携帯端末装置５が存在しない場合は、出入口位置検知装置３は、その後の処理を行わない。同様に、各位置検知装置４，４・・・は、統括管理装置２からの位置登録要求信号を受信すると、位置確認要求信号を検知領域に送信する。ここで、検知領域に携帯端末装置５が存在する場合は、その携帯端末装置５が位置確認要求信号を受信することとなり、検知領域に携帯端末装置５が存在しない場合は、位置検知装置４は、その後の処理を行わない。
【００２６】
携帯端末装置５は、出入口位置検知装置３又は位置検知装置４からの位置確認要求信号を受信すると、位置確認要求信号を送信してきた出入口位置検知装置３又は位置検知装置４へ位置確認応答信号を送信する。出入口位置検知装置３及び位置検知装置４は、携帯端末装置５からの位置確認応答信号を受信すると、統括管理装置２へ位置登録応答信号を送信する。
【００２７】
統括管理装置２は、出入口位置検知装置３からの位置要求応答信号を受信した場合に、出入口位置検知装置３へ警告要求信号を送信する。出入口位置検知装置３は、警告要求信号を受信した場合は、出入口近傍領域に位置する携帯端末装置５へ警告音発生信号を送信する。
【００２８】
また、統括管理装置２は、警告音を発生している携帯端末装置５が、出入口近傍領域から位置検知装置４の検知領域へ移動した場合に、その位置検知装置４からの位置要求応答信号を受信したことにより警告解除信号をその位置検知装置４へ送信する。警告音を発生している携帯端末装置５を検知した位置検知装置４は、統括管理装置２からの警告解除信号を受信することにより、警告音を発生している携帯端末装置５へ警告音解除信号を送信する。
【００２９】
［信号の説明］
なお、位置登録要求信号とは、図８に示すように、統括管理装置２から出入口位置検知装置３又は位置検知装置４へ送信される信号であって、出入口位置検知装置３の出入口近傍領域又は位置検知装置４の検知領域に位置する総ての携帯端末装置５，５・・・の端末識別番号データを統括管理装置２へ通知させるために、出入口位置検知装置３又は位置検知装置４に携帯端末装置５，５・・・への位置確認要求信号の送信を命令する登録要求データを有して構成された信号である。
また、登録要求データを、出入口位置検知装置３又は位置検知装置４が受信することで、出入口位置検知装置３又は位置検知装置４が無線通信可能な携帯端末装置５，５・・・へ位置確認要求信号を送信させることができるようになっている。
【００３０】
位置確認要求信号とは、図９に示すように、出入口位置検知装置３が検知する出入口近傍領域又は位置検知装置４が検知する検知領域に位置する総ての携帯端末装置５，５・・・へ送信される信号であって、位置確認要求信号を受信した携帯端末装置５，５・・・に端末識別番号データを無線通信可能な出入口近傍領域又は位置検知装置４へ通知させるために、携帯端末装置５，５・・・に位置確認応答信号の送信を命令する確認要求データを有して構成された信号である。
また、確認要求データを、各携帯端末装置５，５・・・が受信することで、各携帯端末装置５，５・・・が無線通信可能な出入口位置検知装置３又は位置検知装置４へ位置確認応答信号を送信させることができるようになっている。
【００３１】
位置確認応答信号とは、図１０に示すように、携帯端末装置５が、受信した位置確認要求信号に応答して、位置確認要求信号を送信してきた出入口位置検知装置３又は位置検知装置４へ送信する信号であって、携帯端末装置５が有する端末識別番号データと、位置登録応答信号を統括管理装置２へ送信するように要求する確認応答データとを有して構成された信号である。
また、確認応答データを、出入口位置検知装置３又は位置検知装置４が受信することで、統括管理装置２へ位置登録応答信号を送信させることができるようになっている。
【００３２】
ここで、端末識別番号データは、携帯端末装置５の固体番号を意味するデータ（例えば、「＃０００１」）と、携帯端末装置であることを意味するデータ（例えば、「Ｔ」）とを順番に配列し、電子化したデータとして構成されている。この携帯端末装置５の固体番号を意味するデータは、各携帯端末装置５，５・・・によって異なっている。
したがって、「＃０００１Ｔ」と設定された端末識別番号データを有する携帯端末装置５は、例えば、「位置登録応答信号の送信」という確認応答データと、「＃０００１Ｔ」と設定された端末識別番号データとを有して構成された位置確認応答信号を出入口位置検知装置３又は位置検知装置４へ送信することとなる。
【００３３】
位置登録応答信号とは、図１１（ａ）に示すように、出入口位置検知装置３又は位置検知装置４から統括管理装置２へ送信される信号であって、位置検知装置４の検知領域又は出入口位置検知装置３の出入口近傍領域に位置する携帯端末装置５の端末識別番号データと、位置検知装置４が記憶している装置識別番号データ又は出入口位置検知装置３が記憶している装置識別番号データとを有し、かつ、これら端末識別番号データと装置識別番号データとを統括管理装置２に記憶させるための登録応答データを有して構成された信号である。なお、位置登録応答信号は、図１１（ｂ）に示すように、位置検知装置４の検知領域又は出入口位置検知装置３の出入口近傍領域に位置する総ての携帯端末装置５の端末識別番号データを有するように構成することもできる。
また、登録応答データを、統括管理装置２が受信することで、統括管理装置２に端末識別番号データと装置識別番号データとを記憶させることができるようになっている。
【００３４】
ここで、装置識別番号データは、出入口位置検知装置３又は位置検知装置４の固体番号を意味するデータ（例えば、「＃１００１」）と、出入口位置検知装置３又は位置検知装置４であることを意味するデータ（例えば、「Ｓ」）とを順番に配列し、電子化したデータとして構成されている。この出入口位置検知装置３又は位置検知装置４の固体番号を意味するデータは、出入口位置検知装置３，各位置検知装置４，４・・・で異なっている。
【００３５】
したがって、「＃１００１Ｓ」と設定された装置識別番号データを有する出入口位置検知装置３又は位置検知装置４は、「＃０００１Ｔ」と設定された端末識別番号データを有する携帯端末装置５を検知した場合に、「＃１００１Ｓ」と設定された装置識別番号データと、「＃０００１Ｔ」と設定された端末識別番号データと、「端末識別番号データと装置識別番号データとを記憶」という登録応答データと、を有して構成された位置登録応答信号を統括管理装置２へ送信することとなる。
なお、複数の携帯端末装置５，５・・・の端末識別番号データを有して位置登録応答信号を構成する場合は、例えば、端末識別番号データが「＃０００１Ｔ」や「＃００３３Ｔ」等を有しているとすれば、これら「＃０００１Ｔ」や「＃００３３Ｔ」等の端末識別番号データと、登録応答データと、装置識別番号データとを配列して、構成しても良い。
【００３６】
警告要求信号とは、統括管理装置２から出入口位置検知装置３に送信される信号であって、出入口近傍領域に位置した携帯端末装置５の端末識別番号データを有し、当該携帯端末装置５に対して警告音発生信号を送信することを出入口位置検知装置３に要求する発生要求データを有して構成された信号である。
また、発生要求データを、出入口位置検知装置３が受信することで、出入口近傍領域に位置した携帯端末装置５へ警告音発生信号を送信させることができるようになっている。
【００３７】
なお、警告要求信号には、図１２に示すように、出入口近傍領域に位置した携帯端末装置５の端末識別番号データに後述する警告音レベルデータをも含ませて構成している。
例えば、「＃０００１Ｔ」と設定された端末識別番号データを有する携帯端末装置５が出入口近傍領域に位置した場合の警告要求信号は、「＃０００１Ｔ」と設定された端末識別番号データと、「警告音発生信号を送信」という発生要求データと警告音レベルデータとを配列して構成されている。
【００３８】
警告音発生信号とは、図１３に示すように、出入口位置検知装置３から携帯端末装置５へ送信される信号であって、出入口近傍領域に位置した携帯端末装置５の端末識別番号データを有しつつ後述する警告音レベルデータを含み、携帯端末装置５に警告音を発生させるための発生データを有して構成された信号である。
また、発生データを、出入口近傍領域に位置した携帯端末装置５が受信することで、その携帯端末装置５から警告音を発生させることができるようになっている。
【００３９】
したがって、出入口位置検知装置３は、「＃０００１Ｔ」と設定された端末識別番号データを有する携帯端末装置５が出入口近傍領域に位置した場合に、警告要求信号が有している「＃０００１Ｔ」と設定された端末識別番号データと警告音レベルデータとに「警告音の発生」という発生データを配列した警告音発生信号を送信することとなる。
なお、警告音発生信号は、端末識別番号データをプロトコルヘッダに組み込み、携帯端末装置５のアドレスとして用い、それに警告音レベルデータを有して構成しても良い。
【００４０】
警告解除信号とは、図１４に示すように、統括管理装置２から位置検知装置３に送信される信号であって、出入口近傍領域に位置した携帯端末装置５の端末識別番号データと、当該携帯端末装置５に対して警告音解除信号を送信することを位置検知装置４に要求する解除要求データとを有して構成された信号である。
また、解除要求データを、警告音を発生している携帯端末装置５と無線通信をした位置検知装置４が受信することにより、その携帯端末装置５へ警告音解除信号を送信することができるようになっている。
【００４１】
例えば、統括管理装置２は、「＃０００１Ｔ」と設定された端末識別番号データを有する携帯端末装置５が出入口近傍領域に位置したことにより警告音を発生し、警告音を発生させた状態で位置検知装置４の検知領域へ移動した場合、警告音を発生している携帯端末装置５の端末識別番号データ「＃０００１Ｔ」と、「警告音解除信号の送信」という解除要求データとを有する警告解除信号を、警告音を発生させている携帯端末装置５と無線通信した位置検知装置４へ送信することとなる。
【００４２】
警告音解除信号とは、図１５に示すように、出入口近傍領域に位置した携帯端末装置５の端末識別番号データと、携帯端末装置５が発生している警告音を解除させるための解除データを有して構成された信号である。
また、解除データを、警告音を発生している携帯端末装置５が受信することで、発生している警告音を解除することができるようになっている。
【００４３】
例えば、警告音を発生している「＃０００１Ｔ」と設定された端末識別番号データを有する携帯端末装置５と無線通信をした位置検知装置４は、その携帯端末装置５の端末識別番号データ「＃０００１Ｔ」と、「警告音の解除」という解除データとから構成されている警告音解除信号をその携帯端末装置５へ送信することとなる。
【００４４】
［携帯端末装置］
携帯端末装置５は、図３に示すように、警告音レベルデータデータベース５１，送受信手段５２，位置確認要求信号受信手段５３，位置確認応答信号送信手段５４，警告音制御手段５５，案内手段５７，表示実行手段５８，スピーカＳＰから構成されており、携帯端末装置５を携帯する携帯者にモデルハウスＭＨ１，ＭＨ２・・・ＭＨｎの案内と説明を行うとともに、モデルハウスＭＨ１，ＭＨ２・・・ＭＨｎの出入口近傍領域に入るとスピーカＳＰから警告音を発生させて、携帯者に出入口に接近しないように警告する役割を果たす。
なお、この携帯端末装置５は、住宅展示場の各モデルハウスＭＨ１，ＭＨ２・・・ＭＨｎの入室受付で貸し出されるものであり、一般のＰＤＡ（Ｐｅｒｓｏｎａｌ  Ｄｉｇｉｔａｌ  Ａｓｓｉｓｔａｎｔ）を用いることができる。
【００４５】
警告音レベルデータとは、警告音が発生している時間に応じて、携帯端末装置５のスピーカＳＰから発生される警告音の音量と警告音の音量とともに表示実行手段５８に表示されるテキストデータ化された警告メッセージとを段階的に変化させた警告音レベルを電子データ化したものである。
【００４６】
例えば、図１６に示すように、警告音レベルデータは、レベル１〜レベル５までの段階ごとに別々のデータとして設定しておき、レベル１は、警告音の音量を「弱」、警告メッセージを「案内圏外です」と設定しておく。同様に、レベル２は、警告音の音量を「弱＋α」、警告メッセージを「お戻りください」と設定しておく。また、レベル３は、警告音の音量を「中」、警告メッセージを「返却してください」と設定しておく。ここで、レベル２の警告音の音量「弱＋α」は、レベル１の音量「弱」よりも大きく、レベル３の音量「中」よりも小さい音量とする。
また、レベル４は、警告音の音量を「中＋α」、警告メッセージを「不法持ち出しとなります」と設定しておく。また、レベル５は、警告音の音量を「強」、警告メッセージを「盗難扱いとなりますので、早急にご返却ください」と設定しておく。ここで、レベル４の警告音の音量「中＋α」は、レベル３の音量「中」よりも大きく、レベル３の音量「強」よりも小さい音量とする。
【００４７】
警告音レベルデータデータベース５１は、図１６に示すように、警告音レベルデータを各警告音レベルの警告音の音量が小さい順に記憶している。
この警告音レベルデータデータベース５１は、出入口位置検知装置３の警告音発生信号送信手段３７から送信される警告音発生信号を送受信手段５２を介して警告音制御手段５５が受信した場合に、この警告音制御手段５５の警告音レベル抽出手段５５１により用いられる。
【００４８】
送受信手段５２は、後述する統括管理装置２の送受信手段２２を介して図示しない案内データ送信手段から送信される案内データを、位置検知装置４を用いて中継することにより受信して案内手段５７へ案内データを出力する役割と、出入口位置検知手段３の位置確認要求信号送信手段３３から送信される位置確認要求信号を受信して位置確認要求信号受信手段５３へ出力し、また、警告音発生信号送信手段３７から送信される警告音発生信号を受信して警告音制御手段５５へ出力する役割と、位置検知手段４の位置確認要求信号送信手段４３から送信される位置確認要求信号を受信して位置確認要求信号受信手段５３へ出力し、また、警告音解除信号送信手段４７から送信される警告音解除信号を受信して警告音制御手段５５へ出力する役割と、携帯端末装置５の位置確認応答信号送信手段５４から位置確認応答信号を送信する役割と、を果たす。
【００４９】
案内データとは、統括管理装置２の図示しない案内データ記憶部に記憶されているデータであって、各モデルハウスＭＨ１，ＭＨ２・・・ＭＨｎの各部屋等の案内・説明が音声，文字（テキスト），画像で収めたデータである。
【００５０】
位置確認要求信号受信手段５３は、出入口位置検知装置３の位置確認要求信号送信手段３３から送信される位置確認要求信号又は、位置検知装置４の位置確認要求信号送信手段４３から送信される位置確認要求信号を送受信手段５２を介して受信して、この位置確認要求信号が有している確認要求データを読み込み、位置確認応答信号送信手段５４に位置確認応答信号を送信させる役割を果たす。
ここで、確認要求データを読み込むことで、位置確認応答信号送信手段５４に確実に位置確認応答信号を送信させることができる。
【００５１】
位置確認応答信号送信手段５４は、位置確認要求信号受信手段５３が出入口位置検知装置３の位置確認要求信号送信手段３３からの位置確認要求信号を受信して確認要求データを読み込んだ場合は、出入口位置検知装置３の位置確認応答信号受信手段３４へ端末識別番号データを有した位置確認応答信号を送受信手段５２を介して送信する役割を果たし、位置確認要求信号受信手段５３が位置検知装置４の位置確認要求信号送信手段４３からの位置確認要求信号を受信して確認要求データを読み込んだ場合は、位置検知装置４の位置確認応答信号受信手段４４へ端末識別番号データと確認応答データとを有した位置確認応答信号を送受信手段５２を介して送信する役割を果たす。
【００５２】
警告音制御手段５５は、出入口位置検知装置３の警告音発生信号送信手段３７から送信される警告音発生信号を送受信手段５２を介して受信した場合に、スピーカＳＰから警告音を発生させ、位置検知装置４の警告音解除信号送信手段３７から送信される警告音解除信号を送受信手段５２を介して受信した場合に、発生している警告音を解除する役割を果たし、警告音レベルデータ抽出手段５５１，警告手段５５２，警告音発生時間警告手段５５３，警告解除手段５５４から構成されている。
【００５３】
図７に示すように、この警告音制御手段５５が作動して警告音を発生させる場合は、携帯端末装置５が出入口位置検知装置３の検知可能とする出入口近傍領域に位置した場合であり、発生している警告音が解除される場合は、携帯端末装置５が出入口位置検知装置３の検知可能とする出入口近傍領域から移動して位置検知装置４の検知可能とする検知領域に位置した場合である。
【００５４】
警告音レベルデータ抽出手段５５１は、受信した警告音発生信号が有している発生データを読み込んだ後に警告音レベルデータを読み込み、警告音レベルデータデータベース５１から同一の警告音レベルデータを抽出して警告手段５５２に出力する役割を果たし、また、警告音発生時間警告手段５５３から出力される時間経過信号を入力して、警告音レベルデータデータベース５１から発生させている警告音よりも１段階上の警告音レベルデータを抽出して警告手段５５２に出力する役割を果たす。
【００５５】
ここで、警告音発生信号が有している発生データを読み込むことで、警告音を発生させることを警告音レベルデータ抽出手段５５１が認識して、その後に警告音レベルデータを読み込む。これにより、確実に携帯端末装置５から警告音を発生することができる。
【００５６】
警告手段５５２は、警告音レベルデータ抽出手段５５１が出力した警告音レベルデータを入力して、スピーカＳＰから警告音レベルデータに対応する警告音を発生させる役割を果たす。
【００５７】
警告音発生時間計測手段５５３は、警告手段５５２が警告音を発生している時間を計測して、警告音レベルデータ抽出手段５５１へ所定時間が経過したことを通知する時間経過信号を出力する役割を果たす。
所定時間の経過は、図示しない時間帯データデータベースを用いて、この時間帯データデータベースに記憶されている時間的間隔を読み取るようにしても良い。例えば、警告音の発生から２分後、４分後、６分後・・・といったように設定しておくようにしてもよい。
【００５８】
これにより、携帯端末装置５が出入口位置検知装置３の検知可能とする出入口近傍領域に位置した場合に、適切な音量で警告音を携帯端末装置５から発生させることができる。また、携帯端末装置５から警告音が発生すると、後述する警告音を解除するための処置を行わない限り、警告音を解除することができず、携帯端末装置５自体から警告音を発生し続けることができる。
【００５９】
警告解除手段５５４は、位置検知装置４の警告音解除信号送信手段４７から送信された警告音解除信号を受信した場合に、この警告音解除信号が有している解除データを読み込むことにより、発生している警告音を解除する役割を果たす。
【００６０】
これにより、携帯端末装置５から警告音が発生しても、警告音を解除するための処置として、位置検知装置４の検知可能とする検知領域に携帯端末装置５を位置させることにより、自動的に警告音を解除することができる。
【００６１】
案内手段５７は、統括管理装置２に備えられた図示しない案内データ送信手段から送信される案内データを、位置検知装置４により中継して送受信手段５１を介して受信し、表示実行手段５８に案内データを表示させて携帯端末装置５の携帯者に住宅の案内・説明を行う役割を果たす。
【００６２】
表示実行手段５８は、案内手段５７により、各モデルハウスＭＨ１，ＭＨ２・・・ＭＨｎの各部屋の案内・説明をする案内データを表示する役割を果たす。
【００６３】
［出入口位置検知装置］
出入口位置検知装置３は、図３に示すように、送受信手段３１，位置登録要求信号受信手段３２，位置確認要求信号送信手段３３，位置確認応答信号受信手段３４，位置登録応答信号送信手段３５，警告要求信号受信手段３６，警告音発生信号送信手段３７から構成されている。
【００６４】
出入口位置検知装置３は、モデルハウスＭＨ１，ＭＨ２・・・ＭＨｎの出入口近傍領域に設置され、携帯端末装置５が出入口近傍領域に位置した場合に、携帯端末装置５に警告音発生信号を送信して携帯端末装置５から警報音を発生させる役割を果たす。
【００６５】
なお、位置登録応答信号には、前述したように、図１１（ｂ）に示すように、出入口近傍領域又は位置検知装置４の検知可能な検知位置に位置する総ての携帯端末装置５，５・・・の端末識別番号データを含ませることができる。また、図１１（ａ）に示すように、出入口近傍領域又は位置検知装置４の検知可能な検知位置に位置する１台の携帯端末装置５の端末識別番号データのみを含ませていてもよい。
【００６６】
送受信手段３１は、携帯端末装置５の位置確認応答信号送信手段５４から位置確認信号を受信し、総括管理装置２へ位置確認信号に含まれている端末識別番号データと、出入口位置検知装置３が有する装置識別番号データとを有する位置登録応答信号を送信する役割と、統括管理装置２から送信される位置登録要求信号と警告要求信号とを受信する役割と、携帯端末装置５に警告音発生信号を送信する役割とを果たす。
【００６７】
位置登録要求信号受信手段３２は、統括管理装置２から送信される位置登録要求信号を送受信手段３１を介して受信して、位置登録要求信号が有している登録要求データを読み込むことにより、位置確認要求信号送信手段３３に位置確認要求信号を送信させる役割を果たす。
ここで、登録要求データを読み込むことで、位置確認要求信号送信手段３３に確実に位置確認要求信号を送信させることができる。
【００６８】
位置確認要求信号送信手段３３は、位置登録要求信号受信手段３２が位置登録要求信号を受信したことにより、携帯端末装置５へ確認要求データを有する位置確認要求信号を送受信手段３１を介して送信する役割を果たす。
【００６９】
位置確認応答信号受信手段３４は、携帯端末装置５の位置確認応答信号送信手段５４から送受信手段５２を介して送信された位置確認応答信号を送受信手段３１を介して受信して、この位置確認応答信号が有している確認応答データを読み込むことにより、位置登録応答信号送信手段３５に位置登録応答信号を統括管理装置２に送信させる役割を果たす。
ここで、確認応答データを読み込むことで、位置登録応答信号送信手段３５に確実に位置登録応答信号を送信させることができる。
【００７０】
位置登録応答信号送信手段３５は、位置確認応答信号受信手段３４が位置確認応答信号を受信したことにより、統括管理装置２へ位置登録応答信号を送受信手段３１を介して送信する役割を果たす。
このとき、位置登録応答信号送信手段３５は、位置確認応答信号が有する端末識別番号データと出入口位置検知装置３が有する装置識別番号データと登録応答データとを含めて位置登録応答信号を生成し、統括管理装置に送信する。
【００７１】
警告要求信号受信手段３６は、統括管理装置２から送信される警告要求信号を送受信手段３１を介して受信して、この警告要求信号が有している発生要求データを読み込むことにより、警告音発生信号送信手段３７に携帯端末装置５へ警告音発生信号を送信させる役割を果たす。
ここで、発生要求データを読み込むことで、警告音発生信号送信手段３７に確実に警告音発生信号を送信させることができる。
【００７２】
警告音発生信号送信手段３７は、警告要求信号受信手段３６が警告要求信号を受信すると、携帯端末装置５に警告音発生信号を送受信手段３１を介して送信する役割を果たす。
【００７３】
［位置検知装置］
位置検知装置４は、図３に示すように、送受信手段４１、位置登録要求信号受信手段４２，位置確認要求信号送信手段４３，位置確認応答信号受信手段４４，位置登録応答信号送信手段４５，警告解除信号受信手段４６，警告音解除信号送信手段４７から構成されている。
【００７４】
位置検知装置４は、モデルハウスＭＨ１，ＭＨ２・・・ＭＨｎの各部屋の検知領域に設置され、携帯端末装置５が検知領域に位置した場合に、検知した携帯端末装置５の端末識別番号データと位置検知装置４が有している装置識別番号データとを位置登録応答信号に含ませて統括管理装置２に送信する役割と、携帯端末装置５に警告音解除信号を送信して携帯端末装置５から発生している警報音を解除させる役割と、統括管理装置２から送信される案内データを、図示しない案内データ中継手段により中継して、携帯端末装置５に案内データを表示させる役割を果たす。
【００７５】
なお、位置検知装置４の位置登録要求信号受信手段４２，位置確認要求信号送信手段４３，位置確認応答信号受信手段４４，位置登録応答信号送信手段４５，は、出入口位置検知装置３の位置登録要求信号受信手段３２，位置確認要求信号送信手段３３，位置確認応答信号受信手段３４，位置登録応答信号送信手段３５，と同様の効果を奏する。したがって、これらの説明を省略し、送受信手段４１、警告解除信号受信手段４６、警告音解除信号送信手段４７、について説明する。
【００７６】
送受信手段４１は、携帯端末装置５の位置確認応答信号送信手段５４から位置確認信号を受信し、総括管理装置２へ位置確認信号が有している端末識別番号データと、位置検知装置４が有する装置識別番号データとを有する位置登録応答信号を送信する役割と、統括管理装置２から送信される位置登録要求信号と警告解除信号とを受信する役割と、携帯端末装置５へ警告音解除信号を送信する役割とを果たす。
【００７７】
警告解除信号受信手段４６は、統括管理装置２の警告解除信号送信手段２６から送信される警告解除信号を送受信手段４１を介して受信して、この警告解除信号が有している解除要求データを読み込むことにより、警告音解除信号送信手段４７に警告音解除信号を送信させる役割を果たす。
ここで、解除要求データを読み込むことで、警告音解除信号送信手段４７に確実に警告音解除信号を送信させることができる。
【００７８】
警告音解除信号送信手段４７は、警告解除信号受信手段４６が警告解除信号を受信すると、警告音解除信号を携帯端末装置５へ送受信手段４１を介して送信する役割を果たす。
【００７９】
［統括管理装置］
統括管理装置２は、図３に示すように、記憶部２１，送受信手段２２，位置登録要求信号送信手段２３，位置登録応答信号受信手段２４，装置判別手段２５，監視モード判別手段２６，警告要求信号送信手段２７，警告解除信号送信手段２８，位置特定手段２９から構成されている。
【００８０】
この統括管理装置２は、主に、携帯端末装置５が出入口近傍領域に位置した場合に、この携帯端末装置５に対して警告音を発生させるように要求し、警告音が発生している携帯端末装置５が位置検知装置の検知領域に位置した場合には、警告音が解除するように警告解除信号を送信する役割と、総ての携帯端末装置５，５・・・の位置を記憶する役割と、総ての携帯端末装置５，５・・・に案内データを送信する役割を果たす。
【００８１】
記憶部２１は、位置登録記憶部２１Ａと、装置設置位置データベース２１Ｂとから構成されている。
【００８２】
位置登録記憶部２１Ａは、各携帯端末装置５，５・・・と出入口位置検知装置３又は各位置検知装置４，４・・・とが無線通信をした場合に、出入口位置検知装置３又は各位置検知装置４，４・・・から送信される位置登録応答信号が有している端末識別番号データと装置識別番号データとを関連付けて記憶する役割と、後述する設置位置データと監視モードデータとを、関連付けた端末識別番号データと装置識別番号データにさらに関連つけて記憶する役割を果たす。
したがって、位置登録応答信号に複数の端末識別番号データが含まれている場合は、それぞれの端末識別番号データと装置識別番号データとが関連付けられることとなる。
【００８３】
装置設置位置データベース２１Ｂは、出入口位置検知装置３及び各位置検知装置４，４・・・の設置場所をそれぞれ設置位置データとして記憶している。
【００８４】
設置位置データとは、図１７に示すように、出入口位置検知装置３及び位置検知装置４が設置された施設内の所定の場所を示したデータであり、各部屋に名称を付けてその名称をデータ化（以下、「部屋データ」という）し、これに出入口位置検知装置３及び位置検知装置４の装置識別番号データを関連付けたデータである。
各部屋の名称は、リビングでは「ＬＶＧ」、ダイニングでは「ＤＮＧ」、出入口では「ＥＴＣ」とし、これをデータ化た部屋データとして「ＭＨ１−ＬＶＧ」，「ＭＨ１−ＤＮＧ」，「ＭＨ１−ＥＴＣ」等と表す。そして、この部屋データに出入口位置検知装置３及び位置検知装置４，４・・・の装置識別番号データを関連付ける。
【００８５】
例えば、出入口位置検知装置３の装置識別番号データを「＃１００３Ｓ」，位置検知装置４の装置識別番号データを「＃１００１Ｓ」，「＃１００２Ｓ」とした場合に、モデルハウスＭＨ１の出入口に出入口位置検知装置３を設置する場合は、出入口位置検知装置３の装置識別番号データ「＃１００３Ｓ」と、部屋データ「ＭＨ１−ＥＴＣ」とを並べて関連させる。これにより、装置識別番号データ「＃１００３Ｓ」を読み込むと、合わせて部屋データ「ＭＨ１−ＥＴＣ」も読み込めるようになる。
同様に、装置識別番号データ「＃１００１Ｓ」を有する位置検知装置４をモデルハウスＭＨ１のリビングに設置する場合は、その位置検知装置４の装置識別番号データ「＃１００１Ｓ」と、リビングの部屋データ「ＭＨ１−ＬＶＧ」とを並べて関連させる。また、位置検知装置４の装置識別番号データ「＃１００２Ｓ」と、ダイニングの部屋データ「ＭＨ１−ＤＮＧ」とを並べて関連させる。このようにして、モデルハウスＭＨ１の各部屋の部屋データと、その各部屋に設置される出入口位置検知装置３及び位置検知装置４，４・・・を総て関連付ける。
【００８６】
このように、設置位置データは、例えば、図１７に示すように、出入口位置検知装置３及び各位置検知装置４，４・・・の装置識別番号データと部屋データとが関連付けられて、設置場所を示すデータとなる。
【００８７】
したがって、設置した総ての位置検知装置４及び出入口位置検知装置３の設置位置データを記憶することにより、携帯端末装置５，５・・・がどの位置検知装置４又は出入口位置検知装置３と無線通信をしたか、無線通信をした位置検知装置４又は出入口位置検知装置３がどの場所なのかを把握するために用いることができる。
【００８８】
送受信手段２２は、出入口位置検知装置３及び位置検知装置４へ位置登録要求信号を送信する役割と、出入口位置検知装置３及び位置検知装置４から位置登録応答信号を受信する役割と、出入口位置検知装置３へ警告要求信号を送信し、位置検知装置４へ警告解除信号を送信する役割と、を果たす。
【００８９】
位置登録要求信号送信手段２３は、所定時間ごとに出入口位置検知装置３及び位置検知装置４へ位置登録要求信号を送受信手段２２を介して送信する役割を果たす。
所定時間ごとにとは、例えば、１分毎や２分毎といった間隔をいい、図示しないタイマー等でこの所定時間を決定しても良い。
【００９０】
位置登録応答信号受信手段２４は、出入口位置検知装置３及び位置検知装置４からの位置登録応答信号を送受信手段２２を介して受信して、この位置登録応答信号が有している登録応答データを読み込み、位置登録応答信号が有している端末識別番号データと装置識別番号データとを装置判別手段２５に出力する役割を果たす。
ここで、登録応答データを読み込むことで、装置判別手段２５に確実に端末識別番号データと装置識別番号データとを出力することができる。
【００９１】
装置判別手段２５は、図４に示すように、部屋データ抽出手段２５１と、設置位置データ関連付け手段２５２と、監視モードデータ関連付け手段２５３と、位置データ作成手段２５４とから構成され、位置登録応答信号受信手段２４から出力された端末識別番号データと装置識別番号データとを入力し、端末識別番号データと装置識別番号データとに、設置位置データ及び監視モードデータを関連付けて位置データを作成し、記憶部２１の位置登録記憶部２１Ａに記憶する役割を果たす。
【００９２】
部屋データ抽出手段２５１は、位置登録応答信号受信手段２４から出力された装置識別番号データを用いて、装置設置位置データベース２１Ｂに記憶されている設置位置データとして関連されている装置識別番号データと部屋データとを読み込むことで、部屋データを抽出する役割を果たす。つまり、出力された装置識別番号データと同一の装置識別番号データがあるか否かを設置位置データから検索し、同一の装置識別番号データが存在する場合に、その装置識別番号を読み込み、装置識別番号データと関連付けられている部屋データ読み込むことで、その読み込んだ部屋データを抽出するようになっている。そして、抽出した部屋データとともに入力した端末識別番号データと装置識別番号データとを設置位置データ関連付け手段２５２に出力する。
【００９３】
設置位置データ関連付け手段２５２は、部屋データ抽出手段２５１から出力された部屋データ，端末識別番号データ，装置識別番号データを関連付ける役割を果たす。そして、これらを関連付けたら、監視モードデータ関連付け手段２５３に出力する。
【００９４】
監視モードデータ関連付け手段２５３は、設置位置データ関連付け手段２５２から出力され、関連付けられた部屋データ，端末識別番号データ，装置識別番号データに監視モードデータを関連付けて、記憶部２１の位置登録記憶部２１Ａに記憶する役割を果たす。
【００９５】
ここで監視モードデータとは、管理している携帯端末装置５，５・・・が、現在監視しなければならない状態なのか、それともモデルハウスＭＨ１内を案内しているのかを区別するためのデータであって、監視しなければならない状態の場合は「監視中」の監視モードデータを設定する。また、モデルハウスＭＨ１内を案内している状態の場合は、「案内中」の監視モードデータを設定する。なお、監視しなければならない状態とは、携帯端末装置５が出入口近傍領域に位置している状態をいう。
【００９６】
この監視モードデータ関連付け手段２５３は、部屋データを読み込み、この部屋データが「ＭＨ１−ＥＴＣ」となっている場合には「監視中」の監視モードデータを関連付ける。また、それ以外の部屋データとなっている場合は、「案内中」の監視モードデータを関連付け、位置登録記憶部２１Ａに記憶する。
【００９７】
なお、監視モードデータ関連付け手段２５３に予め出入口位置検知装置３の装置識別番号データを記憶させておき、この装置識別番号データと、入力した装置識別番号データとを比較することにより、「監視中」の監視モードデータを関連付けるか、「案内中」の監視モードデータを関連付けるかを決定しても良い。
【００９８】
位置データ作成手段２５４は、関連付けられた部屋データ，端末識別番号データ，装置識別番号データ，監視モードデータから、端末識別番号データを主体とする位置データを作成し、位置登録記憶部２１Ａに記憶する役割を果たす。この位置データ作成手段２５４は、各位置データを端末識別番号データごとに累積して位置登録記憶部２１Ａに記憶する。
【００９９】
例えば、図１８に示すように、（ａ）モデルハウスＭＨ１のリビングに設置した「＃１００１Ｓ」の装置識別番号データを有する位置検知装置４が、リビングに位置した「＃０００１Ｔ」の端末識別番号データを有する携帯端末装置５を検知した場合、位置登録記憶部２１Ａには、端末識別番号データ「＃０００１Ｔ」，装置識別番号データ「＃１００１Ｓ」，部屋データ「ＭＨ１−ＬＶＧ」，監視モードデータ「案内中」とする図１９に示すような位置データが記憶される。同様に、（ｂ）モデルハウスＭＨ１のダイニングに設置した「＃１００２Ｓ」の装置識別番号データを有する位置検知装置４が、ダイニングに位置した「＃０００２Ｔ」の端末識別番号データを有する携帯端末装置５を検知した場合、位置登録記憶部２１Ａには、端末識別番号データ「＃０００２Ｔ」，装置識別番号データ「＃１００２Ｓ」，部屋データ「ＭＨ１−ＤＮＧ」，監視モードデータ「案内中」とする位置データが記憶される。そして、（ｃ）モデルハウスＭＨ１の出入口に設置した「＃１００３Ｓ」の装置識別番号データを有する出入口位置検知装置３が、出入口に位置した「＃０００３Ｔ」の端末識別番号データを有する携帯端末装置５を検知した場合、位置登録記憶部２１Ａには、端末識別番号データ「＃０００３Ｔ」，装置識別番号データ「＃１００３Ｓ」，部屋データ「ＭＨ１−ＥＴＣ」，監視モードデータ「監視中」とする位置データが記憶される。
【０１００】
このように、位置登録記憶部２１Ａは、各携帯端末装置５，５・・・に対して、その位置や状態を記憶している。したがって、携帯端末装置５が各部屋を移動すれば、その携帯端末装置５が有している端末識別番号データを基準に、装置識別番号データ、部屋データ、監視モードデータが書き換えられていくこととなる。
【０１０１】
監視モード判別手段２６は、図５に示すように、監視モードデータ読み込み手段２６１，監視モードデータ判別手段２６２，警告要求指示手段２６３，解除要求指示手段２６４とから構成され、管理している各携帯端末装置５，５・・・が、出入口位置検知装置３の出入口近傍領域に位置しているか、位置検知装置４の検知領域に位置しているかを、位置登録記憶部２１Ａを読み込むことにより判別し、出入口近傍領域に位置した場合は、警告要求の指示をし、警告要求の指示をした携帯端末装置５に対して検知領域に位置した場合に警告解除の指示をする役割を果たす。
【０１０２】
監視モードデータ読み込み手段２６１は、位置登録記憶部２１Ａに記憶された端末識別番号データと監視モードデータとを読み込み、読み込んだ端末識別番号データと監視モードデータとを監視モードデータ判別手段２６２に出力する役割を果たす。
【０１０３】
監視モードデータ判別手段２６２は、監視モードデータ読み込み手段２６１から出力された端末識別番号データと監視モードデータとを入力し、監視モードデータが「監視中」である場合は、図示しない一時記憶部（例えば、「ＲＡＭ」といった記憶部）に端末識別番号データと監視モードデータとを一時的に記憶して端末識別番号データを警告要求指示手段２６３に出力し、監視モードデータが「案内中」である場合は、端末識別番号データを解除要求指示手段２６４に出力する役割を果たす。
【０１０４】
ここで、監視モードデータが「監視中」である場合は、図示しない一時記憶部を読み込み、一時記憶部に記憶されている端末識別番号データ及び監視モードデータと、入力した端末識別番号データ及び監視モードデータとを比較して、同一となっている場合は、その後の処理をせずに待機となる。同様に、監視モードデータが「案内中」である場合は、図示しない一時記憶部を読み込み、一時記憶部に記憶されている端末識別番号データ及び監視モードデータと、入力した端末識別番号データ及び監視モードデータとを比較して、同一となっている場合は、その後の処理をせずに待機となる。
【０１０５】
また、監視モードデータが「監視中」である場合は、図示しない一時記憶部を読み込み、一時記憶部に記憶されている端末識別番号データ及び監視モードデータと、入力した端末識別番号データ及び監視モードデータとを比較して、同一とならない場合は、端末識別番号データを解除要求指示手段２６４に出力する。同様に、監視モードデータが「案内中」である場合は、図示しない一時記憶部を読み込み、一時記憶部に記憶されている端末識別番号データ及び監視モードデータと、入力した端末識別番号データ及び監視モードデータとを比較して、同一とならない場合は、端末識別番号データを警告要求指示手段２６３に出力する。
【０１０６】
警告要求指示手段２６３は、監視モードデータ判別手段２６２から出力された端末識別番号データを入力すると、警告要求信号送信手段２７に端末識別番号データを送信し、警告要求する役割を果たす。
【０１０７】
解除要求指示手段２６４は、監視モードデータ判別手段２６２から出力された端末識別番号データを入力すると、警告解除信号送信手段２８に端末識別番号データを送信し、解除要求する役割を果たす。
【０１０８】
警告要求信号送信手段２７は、監視モード判別手段２６の警告要求指示手段２６３から出力された端末識別番号データを入力し、警告音の初期値として用いられる警告音レベルデータと、入力した端末識別番号データと、警告音発生信号を送信させるための発生要求データとから警告要求信号を生成して、出入口位置検知装置３に送受信手段２２を介して送信する役割を果たす。
警告音レベルデータは、例えば、図１３に示すように、「レベル１」と予め設定しておく。なお、関連付けるこの警告音レベルデータは、施設の用途や重要性を考慮して適宜変更が可能である。
【０１０９】
警告解除信号送信手段２８は、監視モード判別手段２６の警告要求指示手段２６３から出力された端末識別番号データを入力し、入力した端末識別番号データと、警告音解除信号を送信させるための解除要求データとから警告解除信号を生成して、位置検知装置４に送受信手段２２を介して送信する役割を果たす。
【０１１０】
位置特定手段２９は、図６に示すように、端末識別番号データ指定手段２９１と、位置データ抽出手段２９２と、位置データ表示実行手段２９３とから構成されており、各携帯端末装置５，５・・・の所在位置を特定する役割を果たす。
なお、位置特定手段２９による位置特定の対象となる携帯端末装置５の位置表示の動作説明を図２６を用いて説明する。図２６は、携帯端末装置の位置の表示の方法を示すフローチャートである。
【０１１１】
端末識別番号データ指定手段２９１は、所在位置を特定したい携帯端末装置５の端末識別番号データを入力する（Ｓ８１）役割を果たす。
【０１１２】
位置データ抽出手段２９２は、端末識別番号データ指定手段２９１により端末識別番号データが入力されると、位置登録記憶部２１Ａから、端末識別番号データ指定手段２９１により入力された端末識別番号データと同一の端末識別番号データを読み込み（Ｓ８２）、位置登録記憶部２１Ａに記憶されている端末識別番号データと関連付けられている装置識別番号データ、設置位置データ、監視モードデータ、端末識別番号データから構成されている例えば図１９に示すような位置データを抽出する（Ｓ８３）役割を果たす。
抽出した位置データは、位置データ表示実行手段２９３に出力される。
【０１１３】
位置データ表示実行手段２９３は、位置データ抽出手段２９２により出力された位置データを入力し、ディスプレイなどの表示部に表示する（Ｓ８４）役割を果たす。
例えば、図２０に示すように、位置データを位置データ表示実行手段２９３によりディスプレイに表示して、位置特定の対象とした携帯端末装置５の所在地を視覚的に把握することができる。
【０１１４】
これにより、複数の携帯端末装置５，５・・・が一つのモデルハウスの各部屋に位置していても、特定の携帯端末装置５について、その携帯端末装置５の位置を的確に把握することができる。
【０１１５】
（装置の動作説明）
次に、本発明の携帯端末管理装置１の動作を説明する。
本発明の携帯端末管理装置１による携帯端末装置５からの警告音の発生及び解除は、次のように行われる。なお、ここでは、モデルハウスＭＨ１内においての携帯端末装置５からの警告音の発生及び解除について、図３及び図２１〜図２５を用いて説明する。
【０１１６】
図２１は、本発明に係る携帯端末管理装置の警告音の発生及び解除の方法を示すシーケンスチャートである。図２２は、警告音の発生及び解除における携帯端末装置の動作を示すフローチャートである。図２３は、警告音の発生及び解除における統括管理装置の動作を示すフローチャートである。図２４は、警告音の発生における出入口位置検知装置の動作を示すフローチャートである。図２５は、警告音の解除における位置検知装置の動作を示すフローチャートである。
【０１１７】
［警告音の発生・解除の動作説明］
図２１に示すように、住宅展示場に来場した来客者は、モデルハウスＭＨ１の入口と出口とが兼用されている出入口に入り、受付により携帯端末装置５の貸し出しを受ける（Ｓ１）。このとき、受付により携帯端末装置５の電源が入れられる。これにより来客者は携帯端末装置５の携帯者となり、携帯端末装置５がモデルハウスＭＨ１から持ち出されないように携帯端末管理装置１により監視されることとなる。
【０１１８】
また携帯端末装置５は、電源が入れられると、出入口位置検知装置３及び各位置検知装置４とそれぞれ無線通信可能な状態となるとともに、モデルハウスＭＨ１の各部屋等の案内・説明が開始される。
【０１１９】
ここで、携帯端末装置５が、出入口位置検知装置３の検知可能とする出入口近傍領域に移動した場合について説明する。
【０１２０】
統括管理装置２は、位置登録要求信号を送信する時期となる所定時間になった場合（Ｓ３０，Ｙｅｓ）に、位置登録要求信号を総ての位置検知装置４，４・・・及び出入口位置検知装置３へ送信する（Ｓ２，（Ｓ３１））。
位置登録要求信号を送信する時期となる所定時間になっていない場合（Ｓ３０，Ｎｏ）は、統括管理装置２は、所定時間になるまで位置登録要求信号の送信はせず、待機することとなる。
【０１２１】
このとき、出入口位置検知装置３は、統括管理装置２から送信された位置登録要求信号を受信して（Ｓ３，（Ｓ６０））、位置確認要求信号を携帯端末装置５へ送信する（Ｓ４，（Ｓ６１））。
ここで、携帯端末装置５からの位置確認応答信号を受信しなかった場合（Ｓ６２，Ｎｏ）は、再び、統括管理装置２から送信された位置登録要求信号を受信する（Ｓ６０）。
【０１２２】
携帯端末装置５は、出入口位置検知装置３から送信された位置確認要求信号を受信して（Ｓ５，（Ｓ５０））、位置確認要求信号を送信してきた出入口位置検知装置３へ位置確認応答信号を送信する（Ｓ６，（Ｓ５１））。
【０１２３】
出入口位置検知装置３は、携帯端末装置５からの位置確認応答信号を受信した場合（Ｓ７，（Ｓ６２，Ｙｅｓ））、位置登録応答信号を統括管理装置へ送信する（Ｓ８，（Ｓ６３））。
【０１２４】
統括管理装置２は、出入口位置検知装置３から送信された位置登録応答信号を位置登録応答信号受信手段２４により受信する（Ｓ９，（Ｓ３２））と、位置登録応答信号が有している端末識別番号データと装置識別番号データとを装置判別手段２５に出力する。装置判別手段２５は、端末識別番号データと装置識別番号データとを入力すると、設置位置データと監視モードデータを端末識別番号データと装置識別番号データとに関連付けて位置登録記憶部２１Ａに記憶する（Ｓ３３）。
【０１２５】
ここで、監視モード判別手段２６は、位置登録記憶部２１Ａに記憶されている監視モードデータを読み込む（Ｓ３４）。読み込んだ監視モードデータが、例えば「監視中」の監視モードデータである場合（Ｓ３５，Ｙｅｓ）であって、前回も例えば「監視中」の監視モードデータである場合（Ｓ３６，Ｙｅｓ）は、その後の処理をせずに、位置登録要求信号を送信するまで待機する（Ｓ３０）。前回が例えば「監視中」の監視モードデータではない場合（Ｓ３６，Ｎｏ）は、警告要求信号を出入口位置検知装置３に送信する（Ｓ１０，（Ｓ３７））。その後、位置登録要求信号を送信するまで待機する（Ｓ３０）。
【０１２６】
出入口位置検知装置３は、統括管理装置２からの警告要求信号を受信した場合は（Ｓ１１，（Ｓ６４，Ｙｅｓ））、警告音発生信号を携帯端末装置５へ送信する（Ｓ１２，（Ｓ６５））。なお、統括管理装置２からの警告要求信号を受信しなかった場合（Ｓ６４，Ｎｏ）は、再び、統括管理装置２から送信された位置登録要求信号を受信する（Ｓ６０）。
【０１２７】
携帯端末装置５は、出入口位置検知装置３から送信された警告音発生信号を受信した場合（Ｓ１３，（Ｓ５２，Ｙｅｓ））、警告音発生信号に含まれている警告レベルデータを読み込み、この警告レベルデータにある警告音の音量で警告音を発生し、警告メッセージを表示して（Ｓ１４，（Ｓ５３））、警告音の発生時間を計測する（Ｓ５４）。
【０１２８】
警告音発生信号を受信しなかった場合（Ｓ５２，Ｎｏ）であって、警告解除信号を受信しなかった場合（Ｓ５５，Ｎｏ）は、携帯端末装置５が警報音を発生している状態の場合（Ｓ５７，Ｙｅｓ）、警告音発生時間に応じた警告音レベルデータを決定して（Ｓ５８）、この警告音レベルデータの音量及び警告メッセージに変更して（Ｓ１５）、変更した警告音の音量で警告音を発生し、警告メッセージを表示する（Ｓ１６，（Ｓ５９））。そして、位置確認要求信号を受信する（Ｓ５０）。
これを繰り返すことによって、警告音の音量を次第に大きくなるように調節することができる。
なお、携帯端末装置５が警報音を発生していない状態の場合（Ｓ５７，Ｎｏ）は、位置確認要求信号を受信する（Ｓ５０）。
【０１２９】
ここで、警報を発生している携帯端末装置５が、出入口位置検知装置３の検知可能とする出入口近傍領域から、位置検知装置４の検知可能とする検知領域に移動した場合について説明する。
【０１３０】
統括管理装置２は、位置登録要求信号を送信する時期となる所定時間になった場合（Ｓ３０，Ｙｅｓ）に、位置登録要求信号を総ての位置検知装置４，４・・・及び出入口位置検知装置３へ送信する（Ｓ１７，（Ｓ３１））。
【０１３１】
このとき、位置検知装置４は、統括管理装置２から送信された位置登録要求信号を受信して（Ｓ１８，（Ｓ７０））、位置確認要求信号を携帯端末装置５へ送信する（Ｓ１９，（Ｓ７１））。
【０１３２】
携帯端末装置５は、位置検知装置４から送信された位置確認要求信号を受信して（Ｓ２０，（Ｓ５０））、位置確認要求信号を送信してきた位置検知装置４へ位置確認応答信号を送信する（Ｓ２１，（Ｓ５１））。
【０１３３】
位置検知装置４は、携帯端末装置５から送信された位置確認応答信号を受信した場合（Ｓ２２，（Ｓ７２，Ｙｅｓ））、位置登録応答信号を統括管理装置２へ送信する（Ｓ２３，（Ｓ７３））。なお、携帯端末装置５から送信された位置確認応答信号を受信しなかった場合（Ｓ７２，Ｎｏ）は、再び、統括管理装置２から送信された位置登録要求信号を受信する（Ｓ７０）。
【０１３４】
統括管理装置２は、位置検知装置４から送信された位置登録応答信号を受信し（Ｓ２４，（Ｓ３２））、位置登録応答信号が有する端末識別番号データと装置識別番号データとを装置判別手段２５に出力する。装置判別手段２５は、端末識別番号データと装置識別番号データとを入力すると、設置位置データと監視モードデータを端末識別番号データと装置識別番号データとに関連付けて位置登録記憶部２１Ａに記憶する（Ｓ３３）。
【０１３５】
監視モード判別手段２６は、監視モードデータを読み込み（Ｓ３４）、読み込んだ監視モードデータが、例えば「監視中」の監視モードデータではない場合（Ｓ３５，Ｎｏ）であって、前回も例えば「案内中」の監視モードデータである場合（Ｓ３８，Ｙｅｓ）は、監視モードデータを同様の「案内中」で記憶（Ｓ４１）し、位置登録要求信号を送信するまで待機する（Ｓ３０）。前回が例えば「案内中」の監視モードデータではない場合（Ｓ３８，Ｙｅｓ）は、「監視中」の監視モードデータを「案内中」の監視モードデータに替えて記憶（Ｓ３９）しつつ、警告解除信号を位置検知装置４へ送信する（Ｓ２５，（Ｓ４０））。そして、統括管理装置２は、位置登録要求信号を送信するまで待機する（Ｓ３０）。
【０１３６】
位置検知装置４は、統括管理装置２からの警告解除信号を受信した場合（Ｓ２６，（Ｓ７４，Ｙｅｓ））、警告音解除信号を携帯端末装置５へ送信する（Ｓ２７，（Ｓ７５））。統括管理装置２からの警告解除信号を受信しなかった場合（Ｓ７４，Ｙｅｓ）は、再び、統括管理装置２から送信された位置登録要求信号を受信する（Ｓ７０）。
【０１３７】
携帯端末装置５は、警告音発生信号を受信しなかった場合（Ｓ５２，Ｎｏ）であって、位置検知装置４から送信された警告解除信号を受信した場合（Ｓ２８，（Ｓ５５，Ｙｅｓ））は、発生している警告音及び警告メッセージを解除する（Ｓ２９，（Ｓ５６））。そして、位置確認要求信号を受信する（Ｓ５０）。
【０１３８】
したがって、このように本発明の携帯端末管理装置を構成したので、統括管理装置を警備業者が用いることで、携帯端末装置の盗難防止を的確に行うことができ、また、統括管理装置を住宅展示場の主催者が用いても、携帯端末装置の盗難防止を的確に行うことができる。
【０１３９】
以上、本発明について、好適な実施形態の一例を説明した。しかし、本発明は、前記実施形態に限られず、前記の各構成要素については、本発明の趣旨を逸脱しない範囲で、適宜設計変更が可能である。
【０１４０】
例えば、図２７に示すように、本発明の携帯端末管理装置１０は、携帯端末管理装置１に警告音発生通知装置７を設けた構成となっているところが異なる。また、それに伴い、携帯端末管理装置１の統括管理装置２における警告要求信号送信２５に換えて、携帯端末管理装置１０の統括管理装置２において警告要求信号送信２５Ａが備えられているところも異なる。この携帯端末管理装置１０は、統括管理装置を住宅展示場の主催者が使用し、警告音発生通知装置７を警備業者が用いるようになっている。
【０１４１】
携帯端末管理装置１０の統括管理装置２における警告要求信号送信２５Ａは、警告要求信号を出入口位置検知装置３へ送受信手段２２を介して送信しつつ、警告音発生通知装置７へ警告要求信号を送受信手段２２を介して送信する役割を果たす。
【０１４２】
警告音発生通知装置７は、受信手段７１，警告要求信号受信手段７２，警告表示実行手段７３，表示手段７４から構成されており、携帯端末装置５が出入口近傍領域に位置したことを通報する役割を果たす。
【０１４３】
受信手段７１は、統括管理装置２の警告要求信号送信２５Ａから送信される警告要求信号を受信する役割を果たす。
【０１４４】
警告要求信号受信手段７２は、受信手段７１を介して警告要求信号を受信する役割を果たし、受信した警告要求信号の端末識別番号データと警告音レベルデータとを警告表示実行手段７３に出力する。
【０１４５】
警告表示実行手段７３は、警告要求信号受信手段７２から出力された端末識別番号データと警告音レベルデータとを表示手段７４に表示させる役割を果たす。
【０１４６】
表示手段７４は、警告データ表示実行手段７３による携帯端末装置５の端末識別番号データと、警告メッセージを表示させる役割を果たす。
【０１４７】
これにより、警備業者は、携帯端末装置５が出入口近傍領域に位置したこと、及び、盗難される恐れがあることを認識することができる。
【０１４８】
また、他の変形例としては、例えば、警告要求信号を電子メールにて警告音発生通知装置７に送信してもよい。
【０１４９】
また、この場合の警告音発生通知装置を、一般の電子メールが受信可能な携帯電話機やＰＨＳ（Ｐｅｒｓｏｎａｌ  Ｈａｎｄｙｐｈｏｎｅ  Ｓｙｓｔｅｍ）を用いてもよい。
【０１５０】
また、各信号には、プロトコルヘッダを用いて、端末識別番号データや装置識別番号データ、警告音レベルデータ等を有するように構成してもよい。
【図面の簡単な説明】
【０１５１】
【図１】本発明の携帯端末管理装置の概略を示す概略図である。
【図２】本発明の携帯端末管理装置の概略を示す概略図である。
【図３】本発明の携帯端末管理装置を示すブロック図である。
【図４】装置判別手段の構成を示すブロック図である。
【図５】監視モード判別手段の構成を示すブロック図である。
【図６】位置特定手段の構成を示すブロック図である。
【図７】出入口近傍領域及び検知領域を示す模式図である。
【図８】位置登録要求信号の一例を示す概念図である。
【図９】位置確認要求信号の一例を示す概念図である。
【図１０】図１０は、位置確認応答信号の一例を示す概念図である。
【図１１】（ａ）は、位置登録応答信号の一例を示す概念図であり、（ｂ）は、位置登録応答信号の他の例を示す概念図である。
【図１２】警告要求信号の一例を示す概念図である。
【図１３】警告音発生信号の一例を示す概念図である。
【図１４】警告解除信号の一例を示す概念図である。
【図１５】警告音解除信号の一例を示す概念図である。
【図１６】警告レベルデータの一例を示す概念図である。
【図１７】設置位置データの一例を示す概念図である。
【図１８】位置登録記憶部の一例を示す概念図である。
【図１９】位置データの一例を示す概念図である。
【図２０】位置データをディスプレイに表示した状態の一例を示す模式図である。
【図２１】本発明に係る携帯端末管理装置の警告音の発生及び解除の方法を示すシーケンスチャートである。
【図２２】警告音の発生及び解除における携帯端末装置の動作を示すフローチャートである。
【図２３】警告音の発生及び解除における統括管理装置の動作を示すフローチャートである。
【図２４】警告音の発生における出入口位置検知装置の動作を示すフローチャートである。
【図２５】警告音の解除における位置検知装置の動作を示すフローチャートである。
【図２６】携帯端末装置の位置の表示の方法を示すフローチャートである。
【図２７】本発明の携帯端末管理装置の他の例を示すブロック図である。
【符号の説明】
【０１５２】
１，１０  携帯端末管理装置
２      統括管理装置
２１Ａ  位置登録記憶部
２１Ｂ  装置設置位置データベース
２２    送受信手段
２５４  位置データ作成手段
２８    位置特定手段
２８３  位置データ表示実行手段
３      出入口位置検知装置
３１    送受信手段
３６    警告要求信号受信手段
３７    警告音発生信号送信手段
４      位置検知装置
４１    送受信手段
４６    警告解除信号受信手段
４７    警告音解除信号送信手段
５      携帯端末装置
５２    送受信手段
５５    警告音制御手段
５７    案内手段
５５２  警告手段
ＳＰ    スピーカ
ＭＨ１，ＭＨ２・・・ＭＨｎ  モデルハウス（施設）
【図１】
2005150826.tif 000003
【図２】
2005150826.tif 000004
【図３】
2005150826.tif 000005
【図４】
2005150826.tif 000006
【図５】
2005150826.tif 000007
【図６】
2005150826.tif 000008
【図７】
2005150826.tif 000009
【図８】
2005150826.tif 000010
【図９】
2005150826.tif 000011
【図１０】
2005150826.tif 000012
【図１１】
2005150826.tif 000013
【図１２】
2005150826.tif 000014
【図１３】
2005150826.tif 000015
【図１４】
2005150826.tif 000016
【図１５】
2005150826.tif 000017
【図１６】
2005150826.tif 000018
【図１７】
2005150826.tif 000019
【図１８】
2005150826.tif 000020
【図１９】
2005150826.tif 000021
【図２０】
2005150826.tif 000022
【図２１】
2005150826.tif 000023
【図２２】
2005150826.tif 000024
【図２３】
2005150826.tif 000025
【図２４】
2005150826.tif 000026
【図２５】
2005150826.tif 000027
【図２６】
2005150826.tif 000028
【図２７】
2005150826.tif 000029